(57)【要約】【課題】推進用水路内のインペラーの部分や吸込口側の部分を容易に点検することができるウォータージェット推進装置を提供すること。【解決手段】船体に設けた推進用水路１０内にインペラー１４を設置し、インペラー駆動軸２３を駆動してインペラー１４を回転することで、推進用水路１０の吸込口１９から吸い込んだ水をインペラー１４の下流側に設置したノズル１６を介して吐出口２９から吐き出して推進力を得るウォータージェット推進装置である。推進用水路１０のインペラー１４と吸込口１９の間の上部壁面に、推進用水路１０内を覗く筒状の点検口４０，５０を設ける。点検口４０をインペラー１４側に向くように傾けて設置し、点検口５０を吸込口１９側のストレーナ２１に向くように傾けて設置する。点検口４０，５０はそれぞれ推進用水路１０の円周方向に２つずつ並行に設ける。【選択図】図１
2005112149.tif 000002
【特許請求の範囲】
【請求項１】
船体に設けた推進用水路内にインペラーを設置し、このインペラーに取り付けたインペラー駆動軸を駆動してインペラーを回転することで、推進用水路の吸込口から吸い込んだ水をインペラーの下流側に設置したノズルを介して推進用水路の吐出口から吐き出して推進力を得るウォータージェット推進装置において、
前記推進用水路のインペラーと吸込口の間の上部壁面に、推進用水路内を覗く筒状の点検口を設け、且つこの点検口を前記インペラー側を向くように傾けて設置したことを特徴とするウォータージェット推進装置。
【請求項２】
船体に設けた推進用水路内にインペラーを設置し、このインペラーに取り付けたインペラー駆動軸を駆動してインペラーを回転することで、推進用水路の吸込口からこの吸込口近傍に設けたストレーナを通して吸い込んだ水をインペラーの下流側に設置したノズルを介して推進用水路の吐出口から吐き出して推進力を得るウォータージェット推進装置において、
前記推進用水路のインペラーと吸込口の間の上部壁面に、推進用水路内を覗く筒状の点検口を設け、且つこの点検口を前記吸込口側のストレーナを向くように傾けて設置したことを特徴とするウォータージェット推進装置。
【請求項３】
前記点検口は推進用水路の円周方向に複数個設けられ、且つこれら点検口はそれらの中心線が並行になるように設置されていることを特徴とする請求項１又は２に記載のウォータージェット推進装置。
【発明の詳細な説明】
【技術分野】
【０００１】
本発明は、ウォータージェット推進装置に関するものである。
【背景技術】
【０００２】
従来、レジャー用等に用いられるエンジン付きの小型滑走艇は、その船尾部の船底にウォータージェット推進装置を設置し、このウォータージェット推進装置の推進用水路内に設けたインペラーの回転により船底から吸引した水を後方へ送り出し、これにより船体を推進或いは旋回させるように構成している（特許文献１参照）。
【０００３】
図３はこれら従来のウォータージェット推進装置の概略一部断面図である。同図に示すようにこのウォータージェット推進装置は、船体の船尾近傍の船底部に設置された推進用水路２００内にインペラー２３０を設置し、このインペラー２３０に取り付けたインペラー駆動軸２５０を駆動してインペラー２３０を回転することで、推進用水路２００の吸込口２０１からこの吸込口２０１近傍に設けたストレーナ２２５を通して吸い込んだ水をインペラー２３０の下流側に設置したノズル２２０を介して推進用水路の吐出口２０３から吐き出して推進力を得るように構成している。
【０００４】
ところでこの種の船舶推進用のウォータージェット推進装置は前述のように船底付近に取り付けられることが多いので、船体内部から推進用水路２００内部を点検するため、推進用水路２００の上部壁面に、推進用水路２００内を覗く円筒状の点検口２６０を設ける場合がある。
【０００５】
図４は推進用水路２００の点検口２６０部分の断面図（図３のａ−ａ部分の断面図）である。同図に示すように点検口２６０は推進用水路２００の円周方向に二個、それらの中心軸ｋ１，ｋ１がインペラー駆動軸２５０の中心軸Ｏに垂直に交差するように設けられている。
【０００６】
しかしながら点検口２６０を上記のように設置すると、点検口２６０から主として見えるのはインペラー駆動軸２５０のみであり、このため特に点検の必要なインペラー２３０周辺の部分や吸込口２０１周辺の部分を点検することは困難であった。
【特許文献１】特開平４−８７８９９号公報
【発明の開示】
【発明が解決しようとする課題】
【０００７】
本発明は上述の点に鑑みてなされたものでありその目的は、推進用水路内のインペラーの部分や吸込口側の部分を容易に点検することができるウォータージェット推進装置を提供することにある。
【課題を解決するための手段】
【０００８】
本願の請求項１に記載の発明は、船体に設けた推進用水路内にインペラーを設置し、このインペラーに取り付けたインペラー駆動軸を駆動してインペラーを回転することで、推進用水路の吸込口から吸い込んだ水をインペラーの下流側に設置したノズルを介して推進用水路の吐出口から吐き出して推進力を得るウォータージェット推進装置において、前記推進用水路のインペラーと吸込口の間の上部壁面に、推進用水路内を覗く筒状の点検口を設け、且つこの点検口を前記インペラー側を向くように傾けて設置したことを特徴とするウォータージェット推進装置にある。
【０００９】
本願の請求項２に記載の発明は、船体に設けた推進用水路内にインペラーを設置し、このインペラーに取り付けたインペラー駆動軸を駆動してインペラーを回転することで、推進用水路の吸込口からこの吸込口近傍に設けたストレーナを通して吸い込んだ水をインペラーの下流側に設置したノズルを介して推進用水路の吐出口から吐き出して推進力を得るウォータージェット推進装置において、前記推進用水路のインペラーと吸込口の間の上部壁面に、推進用水路内を覗く筒状の点検口を設け、且つこの点検口を前記吸込口側のストレーナを向くように傾けて設置したことを特徴とするウォータージェット推進装置にある。
【００１０】
本願の請求項３に記載の発明は、前記点検口は推進用水路の円周方向に複数個設けられ、且つこれら点検口はそれらの中心線が並行（平行）になるように設置されていることを特徴とする請求項１又は２に記載のウォータージェット推進装置にある。
【発明の効果】
【００１１】
本願の請求項１に記載の発明によれば、推進用水路内を覗く点検口をインペラー側を向くように傾けて設置したので、容易にインペラー及びその周辺部分の点検を行うことができる。
【００１２】
本願の請求項２に記載の発明によれば、推進用水路内を覗く点検口を吸込口側のストレーナを向くように傾けて設置したので、容易にストレーナ及びその周辺部分の点検を行うことができる。
【００１３】
本願の請求項３に記載の発明によれば、推進用水路の円周方向に複数個設けた点検口の中心線を並行（平行）になるように設置したので、インペラーの中心部分やストレーナーの中心部分のみでなくその周囲の広い範囲を点検することができる。
【発明を実施するための最良の形態】
【００１４】
以下、本発明の実施の形態を図面を参照して詳細に説明する。
図１は本発明の一実施の形態にかかるウォータージェット推進装置の概略一部断面図である。同図に示すようにこのウォータージェット推進装置は、船体の船尾近傍の船底部に推進用水路１０を設置し、その内部にインペラー１４を収納して構成されている。
【００１５】
ここで推進用水路１０は、その上流側（船体前方側）から吸込管１１、インペラーハウジング１３、吐出ボウル１５、ノズル１６、バケット１７を連結して構成されている。吸込管１１は曲管であって、その上流側（図１では右側）が下方へ折れ曲がってその先端の吸込口１９は船体の図示しない船底に開口している。吸込管１１内の吸込口１９近傍にはストレーナ２１が取り付けられ、吸込口１９から吸い込まれる水中の異物が推進用水路１０内に流入しないようにしている。吸込管１１内にはインペラー駆動軸２３が設置され、その後端にはインペラーハウジング１３内に設置されたインペラー１４が取り付けられ、他端は吸込管１１から外部に突出してその先端をエンジン２５に連結している。吐出ボウル１５内には案内羽根２７が固定されている。バケット１７は水平方向に回動自在に取り付けられ、ノズル１６から噴出される推進用の水の方向を左右に変更する。
【００１６】
そしてこのウォータージェット推進装置は、吸込管１１の上部壁面のインペラー１４側とストレーナ２１側の二箇所、言い換えれば推進用水路１０のインペラー１４と吸込口１９の間の上部壁面に、推進用水路１０内を覗く筒状の点検口４０，５０を推進用水路１０の円周方向に二つずつ（図１では一個ずつ示している）設けている。図２は吸込管１１の点検口４０，４０の部分の断面図（図１のＡ−Ａ断面図）である。同図及び図１に示すように点検口４０，４０はそれらの中心軸Ｋ１，Ｋ１が並行（平行）に（正確にはインペラー駆動軸２３の中心軸Ｏを含んで上下方向に鉛直な平面とも並行（平行）に）、且つこれら中心軸Ｋ１，Ｋ１がインペラー１４側を向いて傾くように設置されている。一方点検口５０，５０も点検口４０，４０と同様に、それらの中心軸Ｌ１，Ｌ１（図１には一方のみ示す）が並行（平行）に（正確にはインペラー駆動軸２３の中心軸Ｏを含んで上下方向に鉛直な平面とも並行（平行）に）、且つこれら中心軸Ｌ１，Ｌ１が吸込口１９側（さらに具体的にはストレーナ２１側）を向いて傾くように設置されている。これら点検口４０，４０，５０，５０の上端面は通常閉じられている。
【００１７】
以上のように構成されたウォータージェット推進装置において、エンジン２５を駆動すれば、インペラー駆動軸２３によってインペラー１４が回転し、これによって推進用水路１０の吸込口１９から吸い込まれた水はストレーナ２１を通して吸込管１１、インペラーハウジング１３、吐出ボウル１５、ノズル１６を通過し、バケット１７先端の吐出口２９から吐き出され、このウォータージェット推進装置を設置した船体に推進力を与える。なおバケット１７によって吐出口２９から噴出される推進用の水の方向を左右に変更すれば、船体が旋回し、操舵できる。
【００１８】
一方船体内部から推進用水路１０内を点検する場合、前記点検口４０，４０，５０，５０を開いて覗く。このとき点検口４０，４０はインペラー１４側を向いているので、容易にインペラー１４及びその周辺部分の点検が行える。また点検口５０，５０は吸込口１９側を向いているので、容易にストレーナ２１及びその周辺部分の点検を行うことができる。特に一対の点検口４０，４０（又は５０，５０）は、それらの中心軸Ｋ１，Ｋ１（又はＬ１，Ｌ１）が並行になるように設置されているので、インペラー１４の中心部分（又はストレーナ２１の中心部分）のみでなくその周囲の広い範囲も見ることができ、その点検範囲を大きくすることができる。
【００１９】
以上本発明の実施の形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施の形態では点検口を二つ一組で設置したが、点検口は一つ又は三つ以上の複数個であってもよい。点検口を複数個設置する場合は、上記実施の形態のように並行に設置することが好ましいが、必ずしも並行でなくてもよい。
【図面の簡単な説明】
【００２０】
【図１】本発明の一実施の形態にかかるウォータージェット推進装置の概略一部断面図である。
【図２】吸込管１１の点検口４０，４０部分の断面図（図１のＡ−Ａ断面図）である。
【図３】従来のウォータージェット推進装置の概略一部断面図である。
【図４】推進用水路２００の点検口２６０部分の断面図（図３のａ−ａ部分の断面図）である。
【符号の説明】
【００２１】
１０  推進用水路
１１  吸込管
１３  インペラーハウジング
１４  インペラー
１５  吐出ボウル
１６  ノズル
１７  バケット
１９  吸込口
２１  ストレーナ
２３  インペラー駆動軸
２５  エンジン
２７  案内羽根
２９  吐出口
４０  点検口
Ｋ１  中心軸
５０  点検口
Ｌ１  中心軸
【図１】
2005112149.tif 000003
【図２】
2005112149.tif 000004
【図３】
2005112149.tif 000005
【図４】
2005112149.tif 000006